(57)【要約】【課題】セキュリティの向上及び実装装置の小型化を実現する。【解決手段】シャッタ部材３１は、開口部４を閉鎖するシャッタ３２と、シャッタを支持するサイドフレーム３３とを備えており、サイドフレームは、開口部に対して接離方向に摺動する摺動部材４１の側面に対向する側の面を内面とし、シャッタが当該サイドフレームの先端側の内面に設けられ、回動軸３４が当該サイドフレームの後端側の外面に設けられているとともに、さらに、摺動部材と当接する当接部材３７が、当該サイドフレームの内面において、シャッタよりも後方でかつ回動軸よりも下方向又は上方向の位置に、内面から、摺動部材の先端側壁面４４が通過する空間に向けて突出して設けられている。【選択図】図２Ａ
2014092901.tif 000002
【特許請求の範囲】
【請求項１】
回動軸を中心にして回動するシャッタ部材によって、筐体に設けられた開口部を選択的に開放状態又は閉鎖状態にするシャッタ機構において、
前記シャッタ部材は、前記開口部を閉鎖するシャッタと、当該シャッタを支持するサイドフレームとを備えており、
前記サイドフレームは、
前記開口部に対して接離方向に摺動する摺動部材の側面に対向する側の面を内面とし、
前記シャッタが当該サイドフレームの先端側の内面に設けられ、
前記回動軸が当該サイドフレームの後端側の外面に設けられているとともに、
さらに、前記摺動部材と当接する当接部材が、当該サイドフレームの内面において、前記シャッタよりも後方でかつ前記回動軸よりも下方向又は上方向の位置に、当該内面から、前記摺動部材の先端側壁面が通過する空間に向けて突出して設けられている
ことを特徴とするシャッタ機構。
【請求項２】
請求項１に記載のシャッタ機構において、
前記サイドフレームは、前記回動軸を中心にして第１の方向に突出する第１突出部と第２の方向に突出する第２突出部とを備えており、前記シャッタが前記第１突出部の先端側の内面に設けられているとともに、前記当接部材が前記第２突出部の先端側の内面に設けられている
ことを特徴とするシャッタ機構。
【請求項３】
請求項１又は請求項２に記載のシャッタ機構において、
前記シャッタ部材は、前記当接部材が前記回動軸よりも下側の位置に設けられており、前記摺動部材が前記開口部に対して接近方向に摺動したときに、前記当接部材が前記摺動部材から押圧を受けることによって上方向に回動し、一方、前記摺動部材が前記開口部に対して離間方向に摺動したときに、前記摺動部材からの押圧が解除されることによって下方向に回動する
ことを特徴とするシャッタ機構。
【請求項４】
請求項１又は請求項２に記載のシャッタ機構において、
さらに、前記シャッタを上方向に付勢する付勢部材を有し、
前記シャッタ部材は、前記当接部材が前記回動軸よりも上側の位置に設けられており、前記摺動部材が前記開口部に対して接近方向に摺動したときに、前記当接部材が前記摺動部材から押圧を受けることによって下方向に回動し、一方、前記摺動部材が前記開口部に対して離間方向に摺動したときに、前記摺動部材からの押圧が解除されるとともに、前記付勢部材の付勢力によって上方向に回動する
ことを特徴とするシャッタ機構。
【請求項５】
第１回動軸を中心にして回動する第１シャッタ部材及び第２回動軸を中心にして回動する第２シャッタ部材によって、筐体に上下方向に並設された第１開口部及び第２開口部を選択的に開放状態又は閉鎖状態にするシャッタ機構において、
前記第１シャッタ部材は、前記第１開口部を閉鎖する第１シャッタと、当該第１シャッタを支持する第１サイドフレームと、前記第２シャッタ部材との連結用の第１連結突出部とを備えており、
前記第２シャッタ部材は、前記第２開口部を閉鎖する第２シャッタと、当該第２シャッタを支持する第２サイドフレームと、前記第１シャッタ部材との連結用の第２連結突出部とを備えており、
前記第１シャッタ部材の前記第１サイドフレームは、前記第１開口部及び前記第２開口部に対して接離方向に摺動する摺動部材の側面に対向する側の面を内面とし、前記第１シャッタが当該第１サイドフレームの先端側の内面に設けられ、前記第１回動軸が当該第１サイドフレームの後端側の外面に設けられているとともに、さらに、前記摺動部材と当接する当接部材が、当該第１サイドフレームの内面において、前記第１シャッタよりも後方でかつ前記第１回動軸よりも下方向又は上方向の位置に、当該内面から、前記摺動部材の先端側壁面が通過する空間に向けて突出して設けられており、
前記第２シャッタ部材の前記第２サイドフレームは、前記第２シャッタが当該第２サイドフレームの先端側の内面に設けられているとともに、前記第２回動軸が当該第２サイドフレームの後端側の外面に設けられており、
前記第１シャッタ部材の前記第１連結突出部及び前記第２シャッタ部材の前記第２連結突出部は、連結部材によって互いに連結されている
ことを特徴とするシャッタ機構。
【請求項６】
請求項１乃至請求項５のいずれか一項に記載のシャッタ機構において、
前記シャッタは、その表面が前記回動軸を中心にして円弧状に形成されている
ことを特徴とするシャッタ機構。
【請求項７】
回動軸を中心にして回動するシャッタ部材によって、筐体に設けられた開口部を選択的に開放状態又は閉鎖状態にするシャッタ機構において、
前記シャッタ部材は、前記開口部を閉鎖するシャッタと、当該シャッタを支持するサイドフレームとを備えており、
前記サイドフレームは、前記開口部に対して接離方向に摺動する摺動部材の側面に対向する側の面を内面とし、前記シャッタが当該サイドフレームの先端側の内面に設けられているとともに、前記回動軸が当該サイドフレームの後端側の外面に設けられており、
前記シャッタは、前記摺動部材と当接する当接部材が、当該シャッタの裏面に設けられており、
前記当接部材は、その厚さが、下側部分から上側部分に向かうにつれて、又は、上側部分から下側部分に向かうにつれて、厚くなるように形成されている
ことを特徴とするシャッタ機構。
【請求項８】
請求項７に記載のシャッタ機構において、
前記当接部材は、その厚さが下側部分から上側部分に向かうにつれて厚くなるように形成されており、
前記シャッタ部材は、前記摺動部材が前記開口部に対して接近方向に摺動したときに、前記当接部材が前記摺動部材から押圧を受けることによって上方向に回動し、一方、前記摺動部材が前記開口部に対して離間方向に摺動したときに、前記摺動部材からの押圧が解除されることによって下方向に回動する
ことを特徴とするシャッタ機構。
【請求項９】
請求項７に記載のシャッタ機構において、
さらに、前記シャッタを上方向に付勢する付勢部材を有し、
前記当接部材は、その厚さが上側部分から下側部分に向かうにつれて厚くなるように形成されており、
前記シャッタ部材は、前記摺動部材が前記開口部に対して接近方向に摺動したときに、前記当接部材が前記摺動部材から押圧を受けることによって下方向に回動し、一方、前記摺動部材が前記開口部に対して離間方向に摺動したときに、前記摺動部材からの押圧が解除されるとともに、前記付勢部材の付勢力によって上方向に回動する
ことを特徴とするシャッタ機構。
【請求項１０】
回動軸を中心にして回動するシャッタ部材によって、筐体に設けられた開口部を選択的に開放状態又は閉鎖状態にするシャッタ機構を有する自動取引装置において、
前記シャッタ部材は、前記開口部を閉鎖するシャッタと、当該シャッタを支持するサイドフレームとを備えており、
前記サイドフレームは、
前記開口部に対して接離方向に摺動する摺動部材の側面に対向する側の面を内面とし、
前記シャッタが当該サイドフレームの先端側の内面に設けられ、
前記回動軸が当該サイドフレームの後端側の外面に設けられているとともに、
さらに、前記摺動部材と当接する当接部材が、当該サイドフレームの内面において、前記シャッタよりも後方でかつ前記回動軸よりも下方向又は上方向の位置に、当該内面から、前記摺動部材の先端側壁面が通過する空間に向けて突出して設けられている
ことを特徴とする自動取引装置。
【請求項１１】
第１回動軸を中心にして回動する第１シャッタ部材及び第２回動軸を中心にして回動する第２シャッタ部材によって、筐体に上下方向に並設された第１開口部及び第２開口部を選択的に開放状態又は閉鎖状態にするシャッタ機構を有する自動取引装置において、
前記第１シャッタ部材は、前記第１開口部を閉鎖する第１シャッタと、当該第１シャッタを支持する第１サイドフレームと、前記第２シャッタ部材との連結用の第１連結突出部とを備えており、
前記第２シャッタ部材は、前記第２開口部を閉鎖する第２シャッタと、当該第２シャッタを支持する第２サイドフレームと、前記第１シャッタ部材との連結用の第２連結突出部とを備えており、
前記第１シャッタ部材の前記第１サイドフレームは、前記第１開口部及び前記第２開口部に対して接離方向に摺動する摺動部材の側面に対向する側の面を内面とし、前記第１シャッタが当該第１サイドフレームの先端側の内面に設けられ、前記第１回動軸が当該第１サイドフレームの後端側の外面に設けられているとともに、さらに、前記摺動部材と当接する当接部材が、当該第１サイドフレームの内面において、前記第１シャッタよりも後方でかつ前記第１回動軸よりも下方向又は上方向の位置に、当該内面から、前記摺動部材の先端側壁面が通過する空間に向けて突出して設けられており、
前記第２シャッタ部材の前記第２サイドフレームは、前記第２シャッタが当該第２サイドフレームの先端側の内面に設けられているとともに、前記第２回動軸が当該第２サイドフレームの後端側の外面に設けられており、
前記第１シャッタ部材の前記第１連結突出部及び前記第２シャッタ部材の前記第２連結突出部は、連結部材によって互いに連結されている
ことを特徴とする自動取引装置。
【請求項１２】
回動軸を中心にして回動するシャッタ部材によって、筐体に設けられた開口部を選択的に開放状態又は閉鎖状態にするシャッタ機構を有する自動取引装置において、
前記シャッタ部材は、前記開口部を閉鎖するシャッタと、当該シャッタを支持するサイドフレームとを備えており、
前記サイドフレームは、前記開口部に対して接離方向に摺動する摺動部材の側面に対向する側の面を内面とし、前記シャッタが当該サイドフレームの先端側の内面に設けられているとともに、前記回動軸が当該サイドフレームの後端側の外面に設けられており、
前記シャッタは、前記摺動部材と当接する当接部材が、当該シャッタの裏面に設けられており、
前記当接部材は、その厚さが、下側部分から上側部分に向かうにつれて、又は、上側部分から下側部分に向かうにつれて、厚くなるように形成されている
ことを特徴とする自動取引装置。
【発明の詳細な説明】
【技術分野】
【０００１】
本発明は、実装装置の小型化を実現するシャッタ機構、及び、当該シャッタ機構を実装する自動取引装置に関する。
【背景技術】
【０００２】
従来、回動軸を中心にして回動するシャッタ部材によって、筐体に設けられた開口部を選択的に開放状態又は閉鎖状態にするシャッタ機構と、筐体の内部で開口部に対して接離方向に摺動する摺動部材（ユニット）とを有する自動取引装置があった。
【０００３】
従来のシャッタ機構は、外方向（横方向）に突出する突出部（押出板）が摺動部材（ユニット）に設けられており、摺動部材が開口部（媒体挿入口）に対して接近方向に摺動したときに、シャッタ部材の一部が摺動部材の突出部と当接して摺動部材から押圧を受けることによって、シャッタの開放方向に回動する構成になっていた（特許文献１参照）。
【先行技術文献】
【特許文献】
【０００４】
【特許文献１】特開平６−２２３２５８号公報（段落０００７〜段落０００８、図６）
【発明の概要】
【発明が解決しようとする課題】
【０００５】
しかしながら、従来のシャッタ機構は、外方向（横方向）に突出する突出部（押出板）が摺動部材（ユニット）に設けられているため、摺動部材が摺動する際に、突出部が周囲の部材に衝突したり、装置の管理者が装置のメンテナンスを行う際に、突出部が作業の邪魔になったりする、という課題があった。
【０００６】
また、従来のシャッタ機構は、外方向（横方向）に突出する突出部（押出板）が摺動部材（ユニット）に設けられているため、実装装置（自動取引装置）の横幅をその分だけ大型化させてしまう、という課題があった。
【０００７】
本発明は、前記した課題を解決するためになされたものであり、実装装置の小型化を実現するシャッタ機構、及び、当該シャッタ機構を実装する自動取引装置を提供することを主な目的とする。
【課題を解決するための手段】
【０００８】
前記目的を達成するため、第１発明は、回動軸を中心にして回動するシャッタ部材によって、筐体に設けられた開口部を選択的に開放状態又は閉鎖状態にするシャッタ機構であって、前記シャッタ部材は、前記開口部を閉鎖するシャッタと、当該シャッタを支持するサイドフレームとを備えており、前記サイドフレームは、前記開口部に対して接離方向に摺動する摺動部材の側面に対向する側の面を内面とし、前記シャッタが当該サイドフレームの先端側の内面に設けられ、前記回動軸が当該サイドフレームの後端側の外面に設けられているとともに、さらに、前記摺動部材と当接する当接部材が、当該サイドフレームの内面において、前記シャッタよりも後方でかつ前記回動軸よりも下方向又は上方向の位置に、当該内面から、前記摺動部材の先端側壁面が通過する空間に向けて突出して設けられている構成とする。
【０００９】
このシャッタ機構は、当接部材が、サイドフレームの内面から、摺動部材の先端側壁面が通過する空間に向けて突出して設けられている。そのため、このシャッタ機構は、摺動部材から外方向（横方向）に突出する突出部（従来のシャッタ機構の押出板）を排除することができる。したがって、このシャッタ機構は、実装装置の小型化を実現することができる。
【００１０】
また、第２発明は、第１回動軸を中心にして回動する第１シャッタ部材及び第２回動軸を中心にして回動する第２シャッタ部材によって、筐体に上下方向に並設された第１開口部及び第２開口部を選択的に開放状態又は閉鎖状態にするシャッタ機構であって、前記第１シャッタ部材は、前記第１開口部を閉鎖する第１シャッタと、当該第１シャッタを支持する第１サイドフレームと、前記第２シャッタ部材との連結用の第１連結突出部とを備えており、前記第２シャッタ部材は、前記第２開口部を閉鎖する第２シャッタと、当該第２シャッタを支持する第２サイドフレームと、前記第１シャッタ部材との連結用の第２連結突出部とを備えており、前記第１シャッタ部材の前記第１サイドフレームは、前記第１開口部及び前記第２開口部に対して接離方向に摺動する摺動部材の側面に対向する側の面を内面とし、前記第１シャッタが当該第１サイドフレームの先端側の内面に設けられ、前記第１回動軸が当該第１サイドフレームの後端側の外面に設けられているとともに、さらに、前記摺動部材と当接する当接部材が、当該第１サイドフレームの内面において、前記第１シャッタよりも後方でかつ前記第１回動軸よりも下方向又は上方向の位置に、当該内面から、前記摺動部材の先端側壁面が通過する空間に向けて突出して設けられており、
前記第２シャッタ部材の前記第２サイドフレームは、前記第２シャッタが当該第２サイドフレームの先端側の内面に設けられているとともに、前記第２回動軸が当該第２サイドフレームの後端側の外面に設けられており、前記第１シャッタ部材の前記第１連結突出部及び前記第２シャッタ部材の前記第２連結突出部は、連結部材によって互いに連結されている構成とする。
【００１１】
このシャッタ機構は、第１発明に係るシャッタ機構のシャッタ部材に第１連結突出部を設けた構成のシャッタ部材を第１シャッタ部材とし、その第１シャッタ部材の上下方向に第２シャッタ部材を並設して、第１シャッタ部材が回動するときに、その回動に連動させて、第２シャッタ部材を回動させる構成になっている。
【００１２】
このシャッタ機構は、第１発明に係るシャッタ機構と同様に、当接部材が、サイドフレーム（第２発明では、第１サイドフレーム）の内面から、摺動部材の先端側壁面が通過する空間に向けて突出して設けられている。そのため、このシャッタ機構は、摺動部材から外方向（横方向）に突出する突出部（従来のシャッタ機構の押出板）を排除することができる。したがって、このシャッタ機構は、実装装置の小型化を実現することができる。
【００１３】
また、第３発明は、回動軸を中心にして回動するシャッタ部材によって、筐体に設けられた開口部を選択的に開放状態又は閉鎖状態にするシャッタ機構であって、前記シャッタ部材は、前記開口部を閉鎖するシャッタと、当該シャッタを支持するサイドフレームとを備えており、前記サイドフレームは、前記開口部に対して接離方向に摺動する摺動部材の側面に対向する側の面を内面とし、前記シャッタが当該サイドフレームの先端側の内面に設けられているとともに、前記回動軸が当該サイドフレームの後端側の外面に設けられており、前記シャッタは、前記摺動部材と当接する当接部材が、当該シャッタの裏面に設けられており、前記当接部材は、その厚さが、下側部分から上側部分に向かうにつれて、又は、上側部分から下側部分に向かうにつれて、厚くなるように形成されている構成とする。
【００１４】
このシャッタ機構は、当接部材が、シャッタの裏面に設けられている。そのため、このシャッタ機構は、摺動部材から外方向（横方向）に突出する突出部（従来のシャッタ機構の押出板）を排除することができる。したがって、このシャッタ機構は、実装装置の小型化を実現することができる。
【００１５】
また、第４発明は、回動軸を中心にして回動するシャッタ部材によって、筐体に設けられた開口部を選択的に開放状態又は閉鎖状態にするシャッタ機構を有する自動取引装置であって、前記シャッタ部材は、前記開口部を閉鎖するシャッタと、当該シャッタを支持するサイドフレームとを備えており、前記サイドフレームは、前記開口部に対して接離方向に摺動する摺動部材の側面に対向する側の面を内面とし、前記シャッタが当該サイドフレームの先端側の内面に設けられ、前記回動軸が当該サイドフレームの後端側の外面に設けられているとともに、さらに、前記摺動部材と当接する当接部材が、当該サイドフレームの内面において、前記シャッタよりも後方でかつ前記回動軸よりも下方向又は上方向の位置に、当該内面から、前記摺動部材の先端側壁面が通過する空間に向けて突出して設けられている構成とする。
第４発明は、第１発明に係るシャッタ機構を実装する自動取引装置を提供することができる。
【００１６】
また、第５発明は、第１回動軸を中心にして回動する第１シャッタ部材及び第２回動軸を中心にして回動する第２シャッタ部材によって、筐体に上下方向に並設された第１開口部及び第２開口部を選択的に開放状態又は閉鎖状態にするシャッタ機構を有する自動取引装置であって、前記第１シャッタ部材は、前記第１開口部を閉鎖する第１シャッタと、当該第１シャッタを支持する第１サイドフレームと、前記第２シャッタ部材との連結用の第１連結突出部とを備えており、前記第２シャッタ部材は、前記第２開口部を閉鎖する第２シャッタと、当該第２シャッタを支持する第２サイドフレームと、前記第１シャッタ部材との連結用の第２連結突出部とを備えており、前記第１シャッタ部材の前記第１サイドフレームは、前記第１開口部及び前記第２開口部に対して接離方向に摺動する摺動部材の側面に対向する側の面を内面とし、前記第１シャッタが当該第１サイドフレームの先端側の内面に設けられ、前記第１回動軸が当該第１サイドフレームの後端側の外面に設けられているとともに、さらに、前記摺動部材と当接する当接部材が、当該第１サイドフレームの内面において、前記第１シャッタよりも後方でかつ前記第１回動軸よりも下方向又は上方向の位置に、当該内面から、前記摺動部材の先端側壁面が通過する空間に向けて突出して設けられており、前記第２シャッタ部材の前記第２サイドフレームは、前記第２シャッタが当該第２サイドフレームの先端側の内面に設けられているとともに、前記第２回動軸が当該第２サイドフレームの後端側の外面に設けられており、前記第１シャッタ部材の前記第１連結突出部及び前記第２シャッタ部材の前記第２連結突出部は、連結部材によって互いに連結されている構成とする。
第５発明は、第２発明に係るシャッタ機構を実装する自動取引装置を提供することができる。
【００１７】
また、第６発明は、回動軸を中心にして回動するシャッタ部材によって、筐体に設けられた開口部を選択的に開放状態又は閉鎖状態にするシャッタ機構を有する自動取引装置であって、前記シャッタ部材は、前記開口部を閉鎖するシャッタと、当該シャッタを支持するサイドフレームとを備えており、前記サイドフレームは、前記開口部に対して接離方向に摺動する摺動部材の側面に対向する側の面を内面とし、前記シャッタが当該サイドフレームの先端側の内面に設けられているとともに、前記回動軸が当該サイドフレームの後端側の外面に設けられており、前記シャッタは、前記摺動部材と当接する当接部材が、当該シャッタの裏面に設けられており、前記当接部材は、その厚さが、下側部分から上側部分に向かうにつれて、又は、上側部分から下側部分に向かうにつれて、厚くなるように形成されている構成とする。
第６発明は、第３発明に係るシャッタ機構を実装する自動取引装置を提供することができる。
【発明の効果】
【００１８】
本発明に係るシャッタ機構によれば、実装装置の小型化を実現することができる。
また、本発明に係る自動取引装置によれば、小型化を実現することができる。
【図面の簡単な説明】
【００１９】
【図１Ａ】実施形態１に係るシャッタ機構の実装装置の一例を示す図（１）である。
【図１Ｂ】実施形態１に係るシャッタ機構の実装装置の一例を示す図（２）である。
【図２Ａ】実施形態１に係るシャッタ機構の構成を示す図（１）である。
【図２Ｂ】実施形態１に係るシャッタ機構の構成を示す図（２）である。
【図３Ａ】実施形態１で用いるシャッタ部材の実装例を示す図（１）である。
【図３Ｂ】実施形態１で用いるシャッタ部材の実装例を示す図（２）である。
【図４】実施形態１に係るシャッタ機構の動作例を示す図である。
【図５】比較例の構成を示す図である。
【図６】実施形態１の変形例に係るシャッタ機構の構成を示す図である。
【図７】実施形態２に係るシャッタ機構の構成を示す図である。
【図８】実施形態３に係るシャッタ機構の構成を示す図である。
【図９】実施形態３の変形例に係るシャッタ機構の構成を示す図である。
【発明を実施するための形態】
【００２０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２１】
［実施形態１］
本実施形態１に係るシャッタ機構３０は、シャッタ機構３０を実装する自動取引装置の内部で摺動する摺動部材（ユニット）から、外方向（横方向）に突出する突出部（従来のシャッタ機構の押出板）が排除された構成になっている。
【００２２】
そのための構成として、本実施形態１に係るシャッタ機構３０（図２Ａ参照）のシャッタ部材３１は、摺動部材と当接する当接部材が、後記するサイドフレーム３３の内面から、摺動部材の先端側壁面が通過する空間に向けて突出する構成となっている。
【００２３】
なお、本実施形態１では、シャッタ部材３１は、重心が回動軸３４からずれた位置に設定されている。そのため、シャッタ部材３１は、摺動部材が装置の内部から外部に引き出された（取り外された）ときに、シャッタ部材３１の自重により、シャッタ３２が閉じる。
【００２４】
また、本実施形態１では、シャッタ部材３１は、当接部材が回動軸３４よりも下方向に配置されている。そのため、シャッタ部材３１は、摺動部材が装置の外部から内部に押し込まれた（装着された）ときに、摺動部材が当接部材を開口部４の方向に押圧し、これにより、サイドフレーム３３が回動軸３４を中心にして上方向に回動する。その結果、シャッタ３２が、上方向に円弧状に回動して、開く。
【００２５】
＜シャッタ機構の実装装置としての自動取引装置の構成＞
以下、図１Ａ及び図１Ｂを参照して、本実施形態１に係るシャッタ機構３０の実装装置としての自動取引装置１の構成につき説明する。図１Ａ及び図１Ｂは、それぞれ、実施形態１に係るシャッタ機構３０の実装装置の一例を示す図である。
【００２６】
本実施形態１に係るシャッタ機構３０の実装装置としての自動取引装置１は、様々なタイプの装置が想定される。図１Ａは、その一例としての発券機１ａの構成を示している。また、図１Ｂは、他の一例としてのＡＴＭ１ｂの構成を示している。
【００２７】
図１Ａに示す発券機１ａは、主に交通機関に設置され、乗車券や入場券、定期券、座席指定券、予約券等の券類を発行（発券）する装置である。図１Ａに示す例では、発券機１ａは、表示部１１、入力部１２、紙幣取扱部１３、硬貨取扱部１４、カード取扱部１５、及び、発券部１６を有している。
【００２８】
表示部１１は、各種の情報（例えば、特定の処理を実行する際に必要となる情報等）を表示する構成要素である。ここでは、表示部１１がＬＣＤやＥＬディスプレイ等によって構成されている場合を想定して説明する。
【００２９】
入力部１２は、操作者によって各種の情報（例えば、特定の処理の実行を指示する情報等）が入力される構成要素である。ここでは、入力部１２と表示部１１とが一体化されたタッチパネル型ディスプレイによって構成されている場合を想定して説明する。
【００３０】
紙幣取扱部１３は、紙幣を取り扱う機構である。紙幣取扱部１３は、例えば、取引の実行時に、操作者によって紙幣投入口２３ａから投入される紙幣を装置内部に取り込んだり、紙幣を鑑別したり、紙幣を装置内部の所定の箇所に集積したりする。また、紙幣取扱部１３は、装置内部に取り込み不能な紙幣や操作者に返却すべき紙幣を紙幣排出口２３ｂから装置外部に排出したりする。
【００３１】
硬貨取扱部１４は、硬貨を取り扱う機構である。硬貨取扱部１４は、例えば、取引の実行時に、操作者によって硬貨投入口２４ａから投入される硬貨を装置内部に取り込んだり、硬貨を鑑別したり、硬貨を装置内部の所定の箇所に集積したりする。また、硬貨取扱部１４は、装置内部に取り込み不能な硬貨や操作者に返却すべき硬貨を硬貨排出口２４ｂから装置外部のトレイ２４ｃに排出したりする。
【００３２】
カード取扱部１５は、カードを取り扱う機構である。カード取扱部２５は、例えば、取引の実行時に、操作者によってカード挿入排出口２５から挿入されるカードを装置内部に取り込んだり、カードに設けられた磁気ストライプから磁気情報を読み取ったり、又は、カードがＩＣカードである場合に、ＩＣカードに内蔵された記憶部から格納情報を読み取ったりする。また、カード取扱部２５は、取引の終了時に、カードをカード挿入排出口２５から装置外部に排出する。なお、カード取扱部２５は、ＩＣカードが定期券として用いられる場合に、定期券としての格納情報をＩＣカードの記憶部に格納したり、定期券としての印字情報をＩＣカードの印字面に印字したりする。
【００３３】
発券部１６は、磁気面を備える紙媒体を、乗車券や入場券、定期券、座席指定券、予約券等の券類として発行（発券）する機構である。発券部１６は、券類を発行する場合に、券類を発券口２６から装置外部に排出する。
【００３４】
係る構成において、紙幣取扱部１３、カード取扱部１５、及び、発券部１６は、装置の筐体内部で、開口部４（図２Ａ参照）に対して接離方向（接近方向及び離間方向）に摺動するユニット４１として構成されている。以下、ユニット４１を「摺動部材４１」と称する場合がある。また、紙幣取扱部１３を「紙幣ユニット１３」と称し、カード取扱部１５を「カードユニット１５」と称し、発券部１６を「発券ユニット１６」と称する場合がある。
【００３５】
また、係る構成において、紙幣投入口２３ａ、紙幣排出口２３ｂ、カード挿入排出口２５、及び、発券口２６は、各ユニット４１（１３，１５，１６）の、媒体が操作者と装置との間で受け渡しされる媒体受渡部４２（図２Ａ参照）として機能する。図１Ａに示す例では、これらの媒体受渡部４２は、筐体に設けられた開口部４（図２Ａ参照）から外側に突出するように構成されている。
【００３６】
一方、図１Ｂに示すＡＴＭ１ｂは、主に金融機関に設置され、遠隔地に設置されたホストコンピュータとの間で通信して、現金の預け入れや、払い戻し、振り込み、残高照会等の取引を実行する装置である。図１Ｂに示す例では、ＡＴＭ１ｂは、表示部１１、入力部１２、紙幣取扱部１３、硬貨取扱部１４ｂ、カード取扱部１５、及び、通帳取扱部１７を有している。
【００３７】
表示部１１、入力部１２、紙幣取扱部１３、及び、カード取扱部１５は、前記した通りである。硬貨取扱部１４ｂは、硬貨取扱部１４（図１Ａ参照）と同様に、硬貨を取り扱う機構である。ただし、図１Ｂに示す例では、硬貨取扱部１４ｂは、扉状の蓋によって硬貨の投入排出口が開閉される構成になっている。
【００３８】
通帳取扱部１７は、通帳を取り扱う機構である。通帳取扱部１７は、例えば、取引の実行時に、操作者によって通帳挿入排出口２７から挿入される通帳を装置内部に取り込んだり、通帳に設けられた磁気ストライプから磁気情報等を読み取ったり、通帳に取引情報を印字したりする。また、通帳取扱部１７は、取引の終了時に、通帳を通帳挿入排出口２７から装置外部に排出する。
【００３９】
係る構成において、紙幣取扱部１３、カード取扱部１５、及び、通帳取扱部１７は、装置の筐体内部で、開口部４（図２Ａ参照）に対して接離方向（接近方向及び離間方向）に摺動するユニット（摺動部材）４１として構成されている。以下、通帳取扱部１７を「通帳ユニット１７」と称する場合がある。
【００４０】
また、係る構成において、紙幣投入口２３ａ、紙幣排出口２３ｂ、カード挿入排出口２５、及び、通帳挿入排出口２７は、各ユニット４１（１３，１５，１７）の、媒体が操作者と装置との間で受け渡しされる媒体受渡部４２（図２Ａ参照）として機能する。図１Ｂに示す例では、図１Ａに示す例と同様に、これらの媒体受渡部４２は、筐体に設けられた開口部４（図２Ａ参照）から外側に突出するように構成されている。
【００４１】
発券機１ａやＡＴＭ１ｂ等の自動取引装置１は、ユニット４１が開口部４（図２Ａ参照）から離間方向（後方）に摺動する場合に、媒体受渡部４２が開口部４から後退する。このとき、シャッタ機構３０は、シャッタ部材３１（図２Ａ参照）を回動させて、シャッタ３２（図２Ａ参照）で開口部４を閉鎖する。
【００４２】
＜シャッタ機構の構成＞
以下、図２Ａ及び図２Ｂを参照して、本実施形態１に係るシャッタ機構３０の構成につき説明する。図２Ａ及び図２Ｂは、それぞれ、実施形態１に係るシャッタ機構３０の構成を示す図である。図２Ａは、シャッタ機構３０の全体の構成を示している。また、図２Ｂは、シャッタ機構３０に用いられるシャッタ部材３１の斜め方向から見た構成を示している。
【００４３】
図２Ａに示すように、シャッタ機構３０は、回動軸３４を中心にして回動するシャッタ部材３１によって、自動取引装置１の筐体（筐体フレーム３）に設けられた開口部４を選択的に開放状態又は閉鎖状態にする機構である。図２Ａに示す例では、シャッタ３２は、上方向に回動して、開口部４を開放する構成となっている。また、シャッタ３２は、その外面が、回動軸３４を中心にして曲率半径ｒの円弧状に湾曲して形成されている。
【００４４】
自動取引装置１は、筐体（筐体フレーム３）の内部に、ユニット４１の装着部５が配置されている。装着部５は、筐体（筐体フレーム３）の前面に設けられた開口部４の後方に設けられている。図２Ａに示す例では、レール６が、装着部５の内部に、水平方向に延伸して設けられている。
【００４５】
レール６は、ユニット４１の摺動を案内する案内部として機能する部材である。ユニット４１は、その側面に、ローラ４３が設けられている。ユニット４１は、ローラ４３がレール６の上に載置されることにより、開口部４に対して接離方向（接近方向（矢印Ａ１の方向）及び離間方向（矢印Ｂ１の方向））に摺動する構成となる。なお、レール６は、ユニット４１がオーバーランしないように、好ましくは、図２Ａに示すように、端部でユニット４１のローラ４３を受け止める構成にするとよい。
【００４６】
図２Ａに示す例では、ユニット４１は、媒体受渡部４２が、先端側壁面４４から前方に突出した形状になっている。媒体受渡部４２は、媒体が操作者と装置との間で受け渡しされる部位である。媒体受渡部４２は、管理者が自動取引装置１の後方側から前方側にユニット４１を押し込むことにより、露出部として、開口部４から自動取引装置１の外側に露出する。
【００４７】
また、図２Ａに示す例では、ユニット４１は、媒体受渡部４２が、ユニット４１の高さ方向の中段付近で、先端側壁面４４から前方向に突出する形状になっている。ユニット４１は、先端側壁面４４の媒体受渡部４２よりも下方側の部分がシャッタ部材３１の後記するポスト３７と当接する当接面となる。以下、シャッタ部材３１のポスト３７と当接するユニット４１の部位を「当接面４４」と称する場合がある。
【００４８】
シャッタ部材３１は、図２Ａ及び図２Ｂに示すように、開口部４を封鎖するシャッタ３２が、その両サイドで、２つのサイドフレーム３３によって支持された構成になっている。シャッタ３２は、その横幅がユニット４１の横幅よりも長く形成されている。したがって、シャッタ３２の両サイドに設けられた２つのサイドフレーム３３の対向面の間隔（すなわち、右側のサイドフレーム３３の内面と左側のサイドフレーム３３の内面との間隔）も、ユニット４１の横幅よりも長く設定されている。ここでは、「内面」とは、ユニット４１（摺動部材）の側面に対向する側の面（対向面）を意味している。２つのサイドフレーム３３は、右側と左側とで非対称の形状（異なる形状）にすることも、また、右側と左側とで対称の形状（同様の形状）にすることも可能である。
【００４９】
図２Ａに示す例では、サイドフレーム３３は、シャッタ３２を固定する略三角形状の支持部（第１突出部）３５と、ポスト（当接部材）３７を保持する長方形状のレバー部（第２突出部）３６とを備える構成になっている。支持部３５とレバー部３６とは、ポスト（回動軸）３４付近で接続されている。
【００５０】
なお、サイドフレーム３３は、（１）シャッタ３２がサイドフレーム３３の先端側の内面に設けられ、回動軸３４がサイドフレーム３３の後端側の外面に設けられているという条件、及び、（２）ユニット４１（摺動部材）と当接するポスト（当接部材）３７が、サイドフレーム３３の内面において、シャッタ３２よりも後方でかつ回動軸３４よりも下方向又は上方向の位置（図２Ａに示す例では、下方向の位置）に、サイドフレーム３３の内面から、ユニット４１（摺動部材）の先端側壁面４４が通過する空間に向けて突出して設けられているという条件を満たす構成であればよい。
【００５１】
したがって、サイドフレーム３３は、これらの条件を満たす構成であれば、図２Ａに示す例以外の形状（例えば、シャッタ３２の円弧の両端（上端及び下端）とポスト（回動軸）３４とポスト（当接部材）３７とを頂点とする略四角形状）にすることもできる。
【００５２】
図２Ｂ（ａ）は、右側のサイドフレーム３３Ｒと左側のサイドフレーム３３Ｌとが非対称の形状（異なる形状）になっているシャッタ部材３１ａの構成を示している。シャッタ部材３１ａは、後記する第２突出部（レバー部）３６が右側のサイドフレーム３３Ｒにだけ設けられた構成になっている。
【００５３】
一方、図２Ｂ（ｂ）は、右側のサイドフレーム３３Ｒｂと左側のサイドフレーム３３Ｌｂとが対称の形状（同様の形状）になっているシャッタ部材３１ｂの構成を示している。シャッタ部材３１ｂは、後記する第２突出部（レバー部）３６が右側のサイドフレーム３３Ｒｂと左側のサイドフレーム３３Ｌｂとの双方に設けられた構成になっている。シャッタ部材３１は、シャッタ３２の厚さｈが薄くて、シャッタ３２が捻じれる可能性がある場合に、図２Ｂ（ｂ）に示すシャッタ部材３１ｂのように、左右双方のサイドフレーム３３を対称の形状（同様の形状）にするとよい。
【００５４】
左右双方のサイドフレーム３３は、ともに、支持部３５を備えている。支持部３５は、先端側の内面でシャッタ３２を支持する部位である。支持部３５は、後端側の外面に、外方向に向けて突出するポスト３４が設けられている。ここでは、「内面」とは、ユニット４１（摺動部材）の側面に対向する側の面（対向面）を意味しており、また、「外面」とは、その内面の裏面を意味している。ポスト３４は、取付部材５１（図３Ａ参照）によって回動自在に筐体フレーム３に取り付けられることによって、シャッタ部材３１の回動軸として機能する。以下、ポスト３４を「回動軸３４」と称する。
【００５５】
左右のいずれか一方又は双方のサイドフレーム３３は、レバー部３６を備えている。レバー部３６は、ユニット４１からの押圧を受けて、支持部３５を回動させる部位である。レバー部３６は、回動軸３４を中心にして支持部３５の後端側から上方向又は下方向（本実施形態１では、下方向）に突出して設けられている。
【００５６】
レバー部３６は、その先端側の内面に、内方向（ユニット４１の先端側壁面４４が通過する方向）に向けて突出するポスト３７が設けられている。ポスト３７は、ユニット４１が開口部４に対して接近方向（矢印Ａ１の方向）に摺動するときに、ユニット４１の先端側壁面４４と当接する当接部材として機能する。以下、ポスト３７を「当接部材３７」と称する。本実施形態１では、当接部材３７は、回動軸３４よりも下方向の位置に設けられている。
【００５７】
係る構成において、シャッタ部材３１は、左右双方のサイドフレーム３３が、ともに、回動軸３４を中心にして第１の方向に突出する支持部３５を備える構成になっており、また、左右のいずれか一方又は双方のサイドフレーム３３が、回動軸３４を中心にして第１の方向とは異なる第２の方向に突出するレバー部３６を備える構成になっている。以下、支持部３５を「第１突出部３５」と称し、レバー部３６を「第２突出部３６」と称する場合がある。なお、図２Ａに示す例では、「第２の方向」は、第１の方向に対して略９０度下向きの方向となっている。
【００５８】
したがって、シャッタ部材３１は、回動軸３４を中心にして第１の方向に突出する第１突出部３５と、回動軸３４を中心にして第２の方向に突出する第２突出部３６とを備える構成になっている。
【００５９】
そして、第１突出部３５は、開口部４を閉鎖するシャッタ３２がその先端側の内面に設けられている。また、第２突出部３６は、摺動部材（ユニット）４１の先端側壁面４４と当接する当接部材３７がその先端側の内面に設けられている。
【００６０】
当接部材３７は、第２突出部３６の先端側の内面から、摺動部材（ユニット）４１の先端側壁面４４が通過する空間（すなわち、左側のサイドフレーム３３と右側のサイドフレーム３３との間の空間）に向けて突出して設けられている。
【００６１】
このようなシャッタ部材３１は、例えば、図３Ａ及び図３Ｂに示すように、取付部材５１によって回動自在に筐体フレーム３に取り付けられる。図３Ａ及び図３Ｂは、それぞれ、実施形態１で用いるシャッタ部材３１の実装例を示す図である。
【００６２】
図３Ａ及び図３Ｂに示す例では、取付部材５１は、長尺な平板状部材の先端側が、外方向（シャッタ部材３１から離間する方向）にＬ字状に屈曲された形状になっている。取付部材５１は、先端側の屈曲部分が筐体フレーム３の裏面（後面）に対向するように配置される。取付部材５１は、その先端側の屈曲部分に、筐体フレーム３に固定するためのねじ５３を嵌め込むためのねじ孔（図示せず）が形成されている。また、取付部材５１は、後端側に、回動軸３４を軸支する軸受けとして機能する円形孔５２が形成されている。
【００６３】
図３Ａは、２つの取付部材５１（５１Ｒ，５１Ｌ）によってシャッタ部材３１を筐体に取り付ける場合の例を示している。図３Ａに示す例では、取付部材５１Ｒ，５１Ｌは、それぞれの円形孔５２がシャッタ部材３１の回動軸３４を軸支するように、シャッタ部材３１の両サイドで互いに対向して配置されている。取付部材５１Ｒ，５１Ｌは、その状態で、ねじ５３によって筐体フレーム３に固定される。
【００６４】
一方、図３Ｂは、取付部材５１と内部フレーム６１とによってシャッタ部材３１を取り付ける場合の例を示している。図３Ｂに示す例では、平板状の内部フレーム６１がシャッタ部材３１の左側に配置されている。内部フレーム６１には、回動軸３４を軸支する軸受けとして機能する円形孔６２が複数形成されている。シャッタ部材３１は、左側の回動軸３４が内部フレーム６１の円形孔６２に嵌め込まれる。取付部材５１Ｒは、その円形孔５２がシャッタ部材３１の右側の回動軸３４を軸支するように、内部フレーム６１に対向して配置されている。取付部材５１Ｒは、その状態で、ねじ５３によって筐体フレーム３に固定される。
【００６５】
係る構成において、シャッタ機構３０は、ユニット４１が装着部５（図２Ａ参照）から引き出されている場合で、そのユニット４１が装着部５に装着されるときに、以下のように動作する。
【００６６】
シャッタ機構３０は、ユニット４１が装着部５から引き出されている場合に、シャッタ部材３１のシャッタ３２が重みにより下降し、開口部４が閉鎖された状態になっている。管理者がユニット４１を装着部５の内部に押し込むと、ユニット４１は、図２Ａに示すように、開口部４に対して接近方向（矢印Ａ１の方向）に摺動する。
【００６７】
このとき、シャッタ部材３１は、当接部材３７がユニット４１の当接面４４に当接して、ユニット４１から矢印Ａ２の方向に押圧を受ける。これにより、シャッタ部材３１は、回動軸３４を中心にして、シャッタ３２の開放方向（矢印Ａ３の方向）に回動する。その結果、シャッタ３２が上方向に円弧状に回動（上昇）し、開口部４が開放される。
【００６８】
また、シャッタ機構３０は、ユニット４１が装着部５に装着されている場合で、そのユニット４１が装着部５から引き出されるときに、以下のように動作する。
【００６９】
シャッタ機構３０は、ユニット４１が装着部５に装着されている場合に、シャッタ部材３１のシャッタ３２が上昇し、開口部４が開放された状態になっている。管理者がユニット４１を装着部５から引き出すと、ユニット４１は、図２Ａに示すように、開口部４に対して離間方向（矢印Ｂ１の方向）に摺動する。
【００７０】
このとき、シャッタ部材３１は、ユニット４１からの矢印Ａ２の方向の押圧が解除される。これにより、シャッタ部材３１は、その自重によって、回動軸３４を中心にして、シャッタ３２の閉鎖方向（矢印Ｂ３の方向）に回動する。その結果、シャッタ３２が下方向に円弧状に回動（下降）し、開口部４が閉鎖される。また、当接部材３７は、矢印Ｂ２の方向に移動する。
【００７１】
シャッタ機構３０は、これらの動作を行うことにより、開口部４を選択的に開放状態又は閉鎖状態にすることができる。図４は、実施形態１に係るシャッタ機構３０の動作例を示す図である。図４（ａ）は、全てのユニット４１が装着された状態を示しており、図４（ｂ）は、カードユニット１５（図１Ａ参照）が引き出された状態を示しており、図４（ｃ）は、発券ユニット１６が引き出された状態を示している。
【００７２】
シャッタ機構３０のこれらの動作は、操作者が手や媒体を開口部４の中に入れることができないように、所定の時間内（例えば、約０．３秒以内）に行われることが好ましい。シャッタ部材３１の各部の形状や寸法は、これらの動作が所定の時間内で行われるように、設計されるとよい。
【００７３】
本実施形態１に係るシャッタ機構３０は、当接部材３７が、第２突出部３６の先端側の内面から、ユニット４１の先端側壁面（当接面）４４が通過する空間に向けて突出して設けられている。そのため、シャッタ機構３０は、ユニット４１から外方向（横方向）に突出する突出部（従来のシャッタ機構の押出板）を排除することができる。
【００７４】
したがって、シャッタ機構３０は、セキュリティの向上及び実装装置（ここでは、自動取引装置１）の小型化を実現することができる。しかも、シャッタ機構３０は、比較的簡素な構成で、これらの効果を得ることができる。
【００７５】
なお、周知のシャッタ機構としては、例えば、図５に示す比較例に係るシャッタ機構１０１０，１０２０が知られている。しかしながら、以下に説明するように、いずれの比較例に係るシャッタ機構１０１０，１０２０も、短所が存在する。そのため、セキュリティの向上及び実装装置の小型化を実現するシャッタ機構としては、本実施形態１に係るシャッタ機構３０が最適である。
【００７６】
以下、図５を参照して、比較例に係るシャッタ機構１０１０，１０２０の構成とその短所につき説明する。図５は、比較例の構成を示す図である。
【００７７】
図５（ａ）に示す第１比較例に係るシャッタ機構１０１０は、回動軸１０１２を中心にして回動するシャッタ１０１１が開口部（図示せず）の後方に配置された構成になっている。シャッタ機構１０１０は、ユニット４１が開口部に対して接近方向に摺動したときに、ユニット４１の先端部に突出して設けられた媒体受渡部４２がシャッタ１０１１を押圧する。これにより、シャッタ１０１１が、矢印の方向に回動して、外側に開く。
【００７８】
このような第１比較例に係るシャッタ機構１０１０は、以下のような短所が存在する。
（１）シャッタ機構１０１０は、シャッタ１０１１を閉じさせるためのスプリングが必要である。そのスプリングが切れたり固定された位置から外れたりした場合に、シャッタ機構１０１０は、シャッタ１０１１が開放されたままの状態になる、という短所がある。
（２）シャッタ機構１０１０は、シャッタ１０１１がユニット４１に押圧されて外側に開くため、何らかの物体がシャッタ１０１１の外側に置かれていた場合に、その物体と接触する、という短所がある。
（３）シャッタ機構１０１０は、シャッタ１０１１が外側からこじ開けられる可能性がある、という短所がある。
【００７９】
図５（ｂ）に示す第２比較例に係るシャッタ機構１０２０は、上下方向に摺動するシャッタ１０２１と、略Ｌ字状に形成されたレバー部材１０２２とを備える構成になっている。シャッタ１０２１は、軸部１０２１ｂがその両サイドに設けられている。レバー部材１０２２は、回動軸１０２２ａを中心にして第１の方向に突出する突出部の先端側に図示せぬ円形孔が設けられており、その円形孔によってシャッタ１０２１の軸部１０２１ｂを回動自在に軸支している。また、レバー部材１０２２は、回動軸１０２２ａを中心にして第２の方向に突出する突出部の先端側にユニット４１の先端側壁面と当接する当接部材１０２３が設けられている。シャッタ機構１０２０は、ユニット４１が開口部に対して接近方向に摺動したときに、ユニット４１の先端側壁面がレバー部材１０２２の当接部材１０２３を押圧する。これにより、シャッタ１０２１が下方向に摺動する。
【００８０】
このような第２比較例に係るシャッタ機構１０２０は、以下のような短所が存在する。
（１）シャッタ機構１０２０は、シャッタ機構１０１０と同様に、シャッタ１０２１を閉じさせるためのスプリングが必要である。そのスプリングが切れたり固定された位置から外れたりした場合に、シャッタ機構１０２０は、シャッタ１０２１が開放されたままの状態になる、という短所がある。
（２）シャッタ機構１０２０は、ユニット４１がオーバーランした場合に、周囲の部材が破損する可能性がある、という短所がある。
（３）シャッタ機構１０２０は、複数の部材を動かす必要があるため、動作不良が発生する可能性がある、という短所がある。
【００８１】
これに対して、本実施形態１に係るシャッタ機構３０は、これらの短所が存在しない。そのため、セキュリティの向上及び実装装置の小型化を実現するシャッタ機構としては、本実施形態１に係るシャッタ機構３０が最適である。
【００８２】
＜変形例＞
本実施形態１に係るシャッタ機構３０は、例えば、図６に示す変形例のように変形することができる。図６は、実施形態１の変形例に係るシャッタ機構１３０の構成を示す図である。
【００８３】
変形例に係るシャッタ機構１３０のシャッタ部材１３１は、図２Ａに示す本実施形態１に係るシャッタ機構３０のシャッタ部材３１の構成を、上下をほぼ逆にした構成になっている。すなわち、変形例に係るシャッタ部材１３１は、図２Ａに示すシャッタ部材３１のシャッタ３２、サイドフレーム３３、ポスト（回動軸）３４、及び、ポスト（当接部材）３７に対応する構成要素として、シャッタ１３２、サイドフレーム１３３、ポスト（回動軸）１３４、及び、ポスト（当接部材）１３７を備えている。そして、変形例では、シャッタ１３２の開放方向が下方向となっている。
【００８４】
変形例では、サイドフレーム１３３は、図２Ａに示すサイドフレーム３３の支持部（第１突出部）３５とレバー部（第２突出部）３６とに対応する構成要素として、支持部（第１突出部）１３５とレバー部（第２突出部）１３６とを備えている。
【００８５】
ただし、レバー部（第２突出部）１３６は、図２Ａに示すレバー部（第２突出部）３６が支持部（第１突出部）３５から下方向に突出しているのに対し、支持部（第１突出部）１３５から上方向に突出する構成になっている。すなわち、変形例では、シャッタ部材１３１は、図２Ａに示すシャッタ部材３１のレバー部（第２突出部）３６の突出方向（第２の方向）が下方向であるのに対し、レバー部（第２突出部）１３６の突出方向（第２の方向）が上方向になっている。
【００８６】
なお、変形例では、ユニット４１ａは、先端側壁面の媒体受渡部４２よりも上方側の部分がシャッタ部材１３１のポスト（当接部材）１３７と当接する当接面４４ａとなっている。
【００８７】
また、変形例では、シャッタ部材１３１を上方向（閉鎖方向）に付勢する付勢部材としてのスプリング１３９が、シャッタ部材１３１と筐体との間に設けられている。図６に示す例では、スプリング１３９は、ポスト（回動軸）１３４の周囲に設けられている。スプリング１３９は、その一端がシャッタ部材１３１の支持部１３５に設けられた図示せぬ係合部と係合しており、他端が筐体に設けられた図示せぬ係合部と係合している。
【００８８】
係る構成において、変形例に係るシャッタ機構１３０のシャッタ部材１３１は、ユニット４１ａが開口部４に対して接近方向に摺動するときに、ユニット４１ａからの押圧を受けて、下方向に円弧状に回動する。その結果、開口部４が開放される。
【００８９】
一方、変形例に係るシャッタ機構１３０のシャッタ部材１３１は、ユニット４１ａが開口部４に対して離間方向に摺動するときに、ユニット４１ａからの押圧が解除されるとともに、スプリング１３９からの付勢力を受けて、上方向に円弧状に回動する。その結果、開口部４が閉鎖される。
【００９０】
変形例に係るシャッタ機構１３０は、図２Ａに示す本実施形態１に係るシャッタ機構３０と同様に、当接部材１３７が、第２突出部１３６の先端側の内面から、ユニット４１ａの先端側壁面（当接面）４４ａが通過する空間に向けて突出して設けられている。そのため、変形例に係るシャッタ機構１３０は、図２Ａに示す本実施形態１に係るシャッタ機構３０と同様に、ユニット４１ａから外方向（横方向）に突出する突出部（従来のシャッタ機構の押出板）を排除することができる。
【００９１】
したがって、変形例に係るシャッタ機構１３０は、図２Ａに示す本実施形態１に係るシャッタ機構３０と同様に、セキュリティの向上及び実装装置（ここでは、自動取引装置１）の小型化を実現することができる。しかも、シャッタ機構１３０は、比較的簡素な構成で、これらの効果を得ることができる。
【００９２】
以上の通り、本実施形態１に係るシャッタ機構３０，１３０によれば、セキュリティの向上及び実装装置（ここでは、自動取引装置１）の小型化を実現することができる。
【００９３】
［実施形態２］
以下、図７を参照して、本実施形態２に係るシャッタ機構２３０の構成につき説明する。図７は、実施形態２に係るシャッタ機構２３０の構成を示す図である。なお、図７に示す例では、シャッタ部材２３１，２４１の開放方向が上方向となっている。
【００９４】
本実施形態２に係るシャッタ機構２３０は、２つの媒体受渡部４２を備えるユニット４１ｂが装着部５に装着される場合又は装着部５から引き出される場合に、２つの媒体受渡部４２に対応する２つの開口部４を同時に開放状態又は閉鎖状態にする。
【００９５】
そのための構成として、本実施形態２に係るシャッタ機構２３０は、２つのシャッタ部材２３１，２４１を２つの開口部４ａ，４ｂの後方の位置に並設し、２つのシャッタ部材２３１，２４１を連結部材２５１で連結して、一方のシャッタ部材２３１が回動すると、他方のシャッタ部材２４１もシャッタ部材２３１と同じ方向に回動する構成になっている。
【００９６】
ここでは、実施形態１に係るシャッタ機構３０と相違する構成を重点的に説明し、実施形態１に係るシャッタ機構３０に類似する構成については、詳細な説明を省略する。
【００９７】
また、ここでは、摺動部材（ユニット）４１ｂが紙幣投入口２３ａと紙幣排出口２３ｂとの双方を備える紙幣ユニットとして構成されている場合を想定して説明する。紙幣投入口２３ａと紙幣排出口２３ｂとは、紙幣が操作者と装置との間で受け渡しされる媒体受渡部４２である。
【００９８】
図７に示すように、紙幣投入口２３ａと紙幣排出口２３ｂとは、上下方向に並設されている。自動取引装置１は、紙幣投入口２３ａと紙幣排出口２３ｂとに対応して、２つの開口部４ａ，４ｂが上下方向に並設されている。
【００９９】
なお、摺動部材（ユニット）４１ｂは、開放方向（図７に示す例では、上方向）に回動した第２シャッタ部材２４１と衝突しないようにするための後退部４５ｂが、紙幣投入口２３ａと紙幣排出口２３ｂとの間に設けられている。
【０１００】
本実施形態２に係るシャッタ機構２３０は、第１シャッタ部材２３１と第２シャッタ部材２４１とを有している。第１シャッタ部材２３１と第２シャッタ部材２４１とは、連結部材２５１によって連結されている。
【０１０１】
第１シャッタ部材２３１は、図２Ａに示す実施形態１に係るシャッタ機構３０のシャッタ部材３１に対応する部材である。第１シャッタ部材２３１は、図２Ａに示すシャッタ部材３１のシャッタ３２、サイドフレーム３３、ポスト（回動軸）３４、及び、ポスト（当接部材）３７に対応する構成要素として、シャッタ２３２、サイドフレーム２３３、ポスト（回動軸）２３４、及び、ポスト（当接部材）２３７を備えている。
【０１０２】
本実施形態２では、サイドフレーム２３３は、図２Ａに示すサイドフレーム３３の支持部（第１突出部）３５とレバー部（第２突出部）３６とに対応する構成要素として、支持部（第１突出部）２３５とレバー部（第２突出部）２３６とを備えている。
【０１０３】
ただし、サイドフレーム２３３は、連結部材２５１が連結される連結突出部２３８を備えている。連結突出部２３８は、回動軸２３４から後方側に突出するように形成されている。連結突出部２３８は、後端側に、ポスト２３９が設けられている。
【０１０４】
ポスト２３９は、連結部材２５１に設けられた円形孔２５２ａに回動自在に嵌め込まれることによって連結軸として機能する。以下、ポスト２３９を「連結軸２３９」と称する場合がある。
【０１０５】
第２シャッタ部材２４１は、第１シャッタ部材２３１の回動に連動して、第１シャッタ部材２３１と同じ方向に回動するシャッタである。第２シャッタ部材２４１は、第１シャッタ部材２３１からレバー部（第２突出部）２３６を排除したような形状になっている。
【０１０６】
したがって、第２シャッタ部材２４１は、第１シャッタ部材２３１のシャッタ２３２、サイドフレーム２３３、及び、ポスト（回動軸）２３４と同様の構成要素として、シャッタ２４２、サイドフレーム２４３、及び、ポスト（回動軸）２４４を備えている。
【０１０７】
連結部材２５１は、第１シャッタ部材２３１と第２シャッタ部材２４１とを連結する部材である。本実施形態２では、連結部材２５１は、長尺な板状の部材として構成されている。連結部材２５１は、円形孔２５２ａ，２５２ｂが両端付近に形成されている。
【０１０８】
円形孔２５２ａは、第１シャッタ部材２３１に設けられた連結軸２３９を軸支する軸受けとして機能する。一方、円形孔２５２ｂは、第２シャッタ部材２４１に設けられた連結軸２４９を軸支する軸受けとして機能する。
【０１０９】
係る構成において、シャッタ機構２３０は、ユニット４１ｂが装着部（図示せず）から引き出されている場合で、そのユニット４１ｂが装着部（図示せず）に装着されるときに、以下のように動作する。
【０１１０】
シャッタ機構２３０は、ユニット４１ｂが装着部から引き出されている場合に、第１シャッタ部材２３１のシャッタ２３２が重さにより下降し、開口部４ａが閉鎖された状態になっている。また、第２シャッタ部材２４１のシャッタ２４２が重さにより下降し、開口部４ｂが閉鎖された状態になっている。管理者がユニット４１ｂを装着部の内部に押し込むと、ユニット４１ｂは、図７に示すように、開口部４ａ，４ｂに対して接近方向（矢印Ａ１の方向）に摺動する。
【０１１１】
このとき、第１シャッタ部材２３１は、当接部材２３７がユニット４１ｂの当接面４４ｂに当接して、ユニット４１ｂから矢印Ａ２の方向に押圧を受ける。これにより、第１シャッタ部材２３１は、回動軸２３４を中心にして、シャッタ２３２の開放方向（矢印Ａ３の方向）に回動する。その結果、シャッタ２３２が上昇し、開口部４ａが開放される。
【０１１２】
第１シャッタ部材２３１は、連結軸２３９によって連結部材２５１に連結されている。そのため、連結部材２５１は、連結軸２３９を介して第１シャッタ部材２３１から押圧を受ける。したがって、このとき、連結部材２５１は、第１シャッタ部材２３１の回動に伴って、矢印Ａ４の方向に移動する。
【０１１３】
第２シャッタ部材２４１は、連結軸２４９によって連結部材２５１に連結されている。そのため、第２シャッタ部材２４１は、連結部材２５１の移動に伴って、連結部材２５１から押圧を受ける。したがって、このとき、第２シャッタ部材２４１は、第１シャッタ部材２３１の回動に伴って、回動軸２４４を中心にして矢印Ａ５の方向に回動する。その結果、シャッタ２４２が上昇し、開口部４ｂが開放される。
【０１１４】
また、シャッタ機構２３０は、ユニット４１ｂが装着部（図示せず）に装着されている場合で、そのユニット４１ｂが装着部（図示せず）から引き出されるときに、以下のように動作する。
【０１１５】
シャッタ機構２３０は、ユニット４１ｂが装着部に装着されている場合に、第１シャッタ部材２３１のシャッタ２３２が上昇し、開口部４ａが開放された状態になっている。また、第２シャッタ部材２４１のシャッタ２４２が上昇し、開口部４ｂが開放された状態になっている。管理者がユニット４１ｂを装着部から引き出すと、ユニット４１ｂは、図７に示すように、開口部４ａ，４ｂに対して離間方向（矢印Ｂ１の方向）に摺動する。
【０１１６】
このとき、第１シャッタ部材２３１は、ユニット４１ｂからの矢印Ａ２の方向の押圧が解除される。これにより、第１シャッタ部材２３１は、シャッタ２３２の重みによって、回動軸２３４を中心にして、シャッタ２３２の閉鎖方向（矢印Ｂ３の方向）に回動する。同時に、第２シャッタ部材２４１は、シャッタ２４２の重みによって、回動軸２４４を中心にして、シャッタ２４２の閉鎖方向（矢印Ｂ５の方向）に回動する。
【０１１７】
その結果、第１シャッタ部材２３１のシャッタ２３２が下降し、開口部４ａが閉鎖される。同時に、第２シャッタ部材２４１のシャッタ２４２が下降し、開口部４ｂが閉鎖される。また、第１シャッタ部材２３１の当接部材２３７は、矢印Ｂ２の方向に移動する。また、連結部材２５１は、矢印Ｂ４の方向に移動する。
【０１１８】
シャッタ機構２３０は、これらの動作を行うことにより、２つの開口部４ａ，４ｂを同時に開放状態又は閉鎖状態にすることができる。シャッタ機構２３０のこれらの動作は、操作者が手や媒体を開口部４ａ，４ｂの中に入れることができないように、所定の時間内（例えば、約０．３秒以内）に行われることが好ましい。シャッタ部材２３１，２４１の各部の形状や寸法は、これらの動作が所定の時間内で行われるように、設計されるとよい。
【０１１９】
本実施形態２に係るシャッタ機構２３０は、第１シャッタ部材２３１の当接部材２３７が、第２突出部２３６の先端側の内面から、ユニット４１ｂの先端側壁面（当接面）４４ｂが通過する空間に向けて突出して設けられている。そのため、シャッタ機構２３０は、ユニット４１ｂから外方向（横方向）に突出する突出部（従来のシャッタ機構の押出板）を排除することができる。
【０１２０】
したがって、シャッタ機構２３０は、セキュリティの向上及び実装装置（ここでは、自動取引装置１）の小型化を実現することができる。
【０１２１】
以上の通り、本実施形態２に係るシャッタ機構２３０によれば、実施形態１に係るシャッタ機構３０と同様に、セキュリティの向上及び実装装置（ここでは、自動取引装置１）の小型化を実現することができる。
【０１２２】
しかも、本実施形態２に係るシャッタ機構２３０によれば、２つの媒体受渡部４２を備えるユニット４１ｂが装着部５に装着される場合又は装着部５から引き出される場合に、２つの媒体受渡部４２に対応する２つの開口部４ａ，４ｂを同時に開放状態又は閉鎖状態にすることができる。
【０１２３】
なお、図７に示す構成（すなわち、２つのシャッタ部材を連結部材で連結して、一方のシャッタ部材が回動すると、他方のシャッタ部材も一方のシャッタ部材と同じ方向に回動する構成）は、図６に示す実施形態１の変形例に係るシャッタ機構１３０に適用してもよい。適用した場合に、そのシャッタ機構は、ユニット４１ｂの装着時に、上側の第１シャッタ部材及び下側の第２シャッタ部材がそれぞれの回転軸を中心にして下方向に円弧状に回動する。そのため、そのシャッタ機構は、ユニット４１ｂの装着時に、上側の第１シャッタ部材のシャッタがユニット４１ｂの後退部４５ｂ（図７参照）に収まる構成となる。
【０１２４】
［実施形態３］
本実施形態３に係るシャッタ機構３３０は、当接部材がシャッタの裏面（後面）に設けられており、当接部材がユニット４１の先端側と当接してユニット４１から押圧を受けることにより、回動軸を中心にしてシャッタを回動させる構成になっている。
【０１２５】
以下、図８を参照して、本実施形態３に係るシャッタ機構３３０の構成につき説明する。図８は、実施形態３に係るシャッタ機構３３０の構成を示す図である。なお、図８に示す例では、シャッタ部材３３１の開放方向が上方向となっている。
【０１２６】
図８に示すように、本実施形態３に係るシャッタ機構３３０は、シャッタ部材３３１が、開口部４の後方に配置されている。シャッタ部材３３１は、シャッタ３３２と、２つのサイドフレーム３３３と、ガイドフレーム３３５とを備えている。
【０１２７】
シャッタ３３２は、開口部４を封鎖する部材である。
２つのサイドフレーム３３３は、シャッタ３３２の両サイドを支持する部材である。
ガイドフレーム３３５は、ユニット４１の先端側壁面（当接面）と当接する当接部材である。
【０１２８】
２つのサイドフレーム３３３は、シャッタ３３２の裏面の左右の両端部付近でかつ上端付近の位置に１つずつ固定されている。２つのサイドフレーム３３３は、それぞれ、ユニット４１と当接しないように、ユニット４１の横幅よりも外側の位置に配置されている。２つのサイドフレーム３３３は、それぞれ、後端側の外面に、外方向に突出するポスト３３４が設けられている。ポスト３３４は、図示せぬ軸受け用の円形孔に嵌め合わされており、シャッタ部材３３１の回動軸として機能する。
【０１２９】
ガイドフレーム３３５は、シャッタ３３２の裏面に固定されている。ガイドフレーム３３５は、上側部分の肉厚が下側部分の肉厚よりも厚くなるように、ユニット４１の先端側壁面（当接面）との当接部分が、円弧状に湾曲して、又は、直線状に傾斜して形成されている。すなわち、ガイドフレーム３３５は、その厚さが、下側部分から上側部分に向かうにつれて、厚くなるように形成されている。これにより、ガイドフレーム３３５は、ユニット４１の先端側壁面（当接面）と当接したときに、シャッタ３３２を開放方向（図８に示す例では、上方向）に押圧する。
【０１３０】
係る構成において、シャッタ機構３３０は、ユニット４１が装着部（図示せず）から引き出されている場合で、そのユニット４１が装着部（図示せず）に装着されるときに、以下のように動作する。
【０１３１】
図８（ａ）に示すように、シャッタ機構３３０は、ユニット４１が装着部から引き出されている場合に、シャッタ部材３３１のシャッタ３３２が下降し、開口部４が閉鎖された状態になっている。管理者がユニット４１を装着部の内部に押し込むと、ユニット４１は、開口部４に対して接近方向に摺動する。
【０１３２】
このとき、シャッタ部材３３１は、当接部材３３５がユニット４１の先端側壁面（当接面）に当接して、ユニット４１から押圧を受ける。これにより、シャッタ部材３３１は、図８（ｂ）に示すように、回動軸３３４を中心にして、シャッタ３３２の開放方向（上方向）に回動する。その結果、シャッタ３３２が上昇し、開口部４が開放される。
【０１３３】
また、シャッタ機構３３０は、ユニット４１が装着部（図示せず）に装着されている場合で、そのユニット４１が装着部（図示せず）から引き出されるときに、以下のように動作する。
【０１３４】
図８（ｂ）に示すように、シャッタ機構３３０は、ユニット４１が装着部に装着されている場合に、シャッタ部材３３１のシャッタ３３２が上昇し、開口部４が開放された状態になっている。管理者がユニット４１を装着部から引き出すと、ユニット４１は、開口部４に対して離間方向に摺動する。
【０１３５】
このとき、シャッタ部材３３１は、ユニット４１からの押圧が解除される。これにより、シャッタ部材３３１は、図８（ａ）に示すように、シャッタ３３２の重みによって、回動軸３４を中心にして、シャッタ３２の閉鎖方向（下方向）に回動する。その結果、シャッタ３２が下降し、開口部４が閉鎖される。
【０１３６】
本実施形態３に係るシャッタ機構３３０は、ガイドフレーム（当接部材）３３５が、シャッタ３３２の裏面から後方に向けて突出して設けられている。そのため、シャッタ機構３３０は、ユニット４１から外方向（横方向）に突出する突出部（従来のシャッタ機構の押出板）を排除することができる。
【０１３７】
したがって、シャッタ機構３３０は、セキュリティの向上及び実装装置（ここでは、自動取引装置１）の小型化を実現することができる。しかも、シャッタ機構３３０は、比較的簡素な構成で、これらの効果を得ることができる。
【０１３８】
＜変形例＞
本実施形態３に係るシャッタ機構３３０は、例えば、図９に示す変形例のように変形することができる。図９は、実施形態３の変形例に係るシャッタ機構４３０の構成を示す図である。
【０１３９】
変形例に係るシャッタ機構４３０のシャッタ部材４３１は、図８に示す本実施形態３に係るシャッタ機構３３０のシャッタ部材３３１の構成を、上下をほぼ逆にした構成になっている。すなわち、変形例に係るシャッタ部材４３１は、図８に示すシャッタ部材３３１のシャッタ３３２、２つのサイドフレーム３３３、及び、ガイドフレーム（当接部材）３３５に対応する構成要素として、シャッタ４３２、２つのサイドフレーム４３３、及び、ガイドフレーム（当接部材）４３５を備えている。そして、変形例では、シャッタ４３２の開放方向が下方向となっている。
【０１４０】
変形例では、２つのサイドフレーム４３３は、シャッタ４３２の裏面の左右の両端部付近でかつ下端付近の位置に１つずつ固定されている。２つのサイドフレーム４３３は、それぞれ、ユニット４１と当接しないように、ユニット４１の横幅よりも外側の位置に配置されている。２つのサイドフレーム４３３は、それぞれ、後端側の外面に、外方向に突出するポスト４３４が設けられている。ポスト４３４は、図示せぬ軸受け用の円形孔に嵌め合わされており、シャッタ部材４３１の回動軸として機能する。
【０１４１】
ガイドフレーム４３５は、シャッタ４３２の裏面に固定されている。ガイドフレーム４３５は、下側部分の肉厚が上側部分の肉厚よりも厚くなるように、ユニット４１の先端側壁面（当接面）との当接部分が、円弧状に湾曲して、又は、直線状に傾斜して形成されている。すなわち、ガイドフレーム４３５は、その厚さが、上側部分から下側部分に向かうにつれて、厚くなるように形成されている。これにより、ガイドフレーム４３５は、ユニット４１の先端側壁面（当接面）と当接したときに、シャッタ４３２を開放方向（図９に示す例では、下方向）に押圧する。
【０１４２】
また、変形例では、シャッタ部材４３１を上方向（閉鎖方向）に付勢する付勢部材としてのスプリング４３９が、シャッタ部材４３１と筐体との間に設けられている。図９に示す例では、スプリング４３９は、ポスト（回動軸）４３４の周囲に設けられている。スプリング４３９は、その一端がシャッタ部材４３１のサイドフレーム４３３に設けられた図示せぬ係合部と係合しており、他端が筐体に設けられた図示せぬ係合部と係合している。
【０１４３】
係る構成において、シャッタ機構４３０のシャッタ部材４３１は、ユニット４１が装着部（図示せず）から引き出されている場合で、そのユニット４１が装着部（図示せず）に装着されるときに、シャッタ部材４３１のガイドフレーム（当接部材）４３５がユニット４１の先端側壁面（当接面）に当接して、ユニット４１から押圧を受ける。これにより、シャッタ部材４３１は、回動軸４３４を中心にして、シャッタ４３２の開放方向（下方向）に円弧状に回動する。その結果、シャッタ４３２が下降し、開口部４が開放される。
【０１４４】
また、シャッタ機構４３０のシャッタ部材４３１は、ユニット４１が装着部（図示せず）に装着されている場合で、そのユニット４１が装着部（図示せず）から引き出されるときに、ユニット４１ａからの押圧が解除されるとともに、スプリング４３９からの付勢力を受けて、上方向に円弧状に回動する。その結果、開口部４が閉鎖される。
【０１４５】
以上の通り、本実施形態３に係るシャッタ機構３３０，４３０によれば、実施形態１に係るシャッタ機構３０及び実施形態２に係るシャッタ機構２３０と同様に、セキュリティの向上及び実装装置（ここでは、自動取引装置１）の小型化を実現することができる。
【０１４６】
本発明は、前記した実施形態に限定されることなく、本発明の要旨を逸脱しない範囲で種々の変更や変形を行うことができる。
【符号の説明】
【０１４７】
１    自動取引装置
１ａ    発券機
１ｂ    ＡＴＭ
３    筐体フレーム
４，４ａ，４ｂ    開口部
５    装着部
６    レール（案内部）
１１    表示部
１２    入力部（タッチパネル）
１３（４１）    紙幣取扱部（紙幣ユニット）
１４，１４ｂ    硬貨取扱部
１５（４１）    カード取扱部（カードユニット）
１６（４１）    発券部（発券ユニット）
１７（４１）    通帳取扱部（通帳ユニット）
２３ａ（４２）    紙幣投入口
２３ｂ（４２）    紙幣排出口
２４ａ    硬貨投入口
２４ｂ    硬貨排出口
２４ｃ    トレイ
２５（４２）    カード挿入排出口
２６（４２）    発券口
２７（４２）    通帳挿入排出口
３０（３０ａ，３０ｂ，３０ｃ，３０ｄ，３０ｅ），１３０，２３０，３３０，４３０    シャッタ機構
３１（３１ａ，３１ｂ），１３１，２３１，２４１，３３１，４３１    シャッタ部材
３２，１３２，２３２，２４２，３３２，４３２    シャッタ
３３（３３Ｒ，３３Ｒｂ，３３Ｌ，３３Ｌｂ），１３３，２３３，２４３，３３３，４３３    サイドフレーム
３４，１３４，２３４，２４４，３３４，４３４    ポスト（回動軸）
３５，１３５，２３５，２４５    支持部（第１突出部）
３６，１３６，２３６    レバー部（第２突出部）
３７，１３７，２３７    ポスト（当接部材）
４１，４１ａ，４１ｂ    ユニット（摺動部材）
４２    媒体受渡部（露出部）
４３    ローラ
４４，４４ａ，４４ｂ    先端側壁面（当接面）
４５ｂ    後退部
５１（５１Ｒ，５１Ｌ）    取付部材
５２    円形孔（軸受け）
５３    ねじ
６１    内部フレーム
６２    円形孔（軸受け）
１３９，４３９    スプリング（付勢部材）
２３８，２４８    連結突出部
２３９，２４９    ポスト（連結軸）
２５１    連結部材
２５２ａ，２５２ｂ    円形孔（軸受け）
３３５，４３５    ガイドフレーム（当接部材）
【図１Ａ】
2014092901.tif 000003
【図１Ｂ】
2014092901.tif 000004
【図２Ａ】
2014092901.tif 000005
【図２Ｂ】
2014092901.tif 000006
【図３Ａ】
2014092901.tif 000007
【図３Ｂ】
2014092901.tif 000008
【図４】
2014092901.tif 000009
【図５】
2014092901.tif 000010
【図６】
2014092901.tif 000011
【図７】
2014092901.tif 000012
【図８】
2014092901.tif 000013
【図９】
2014092901.tif 000014